(57)【要約】【課題】  光源である発光ダイオードを停電時だけでなく給電時においてもエネルギー効率よく点灯させることができ、非常用照明としては勿論のこと、日常用照明としても好適に用いることのできる照明装置を提供する。【解決手段】  照明装置を、外部電源から電力が供給される電力供給部Ｔ１，Ｔ２と、電力供給部Ｔ１，Ｔ２に入力された電圧を変圧するスイッチング電源ＰＳと、スイッチング電源ＰＳから送出された電力を蓄えるコンデンサＣ１と、給電時にはスイッチング電源ＰＳから送出された電力によって点灯して停電時にはコンデンサＣ１から放出された電力によって点灯する発光ダイオードＤ１とを備えたものとした。【選択図】  図１
2006236934.tif 000002
【特許請求の範囲】
【請求項１】
外部電源から電力が供給される電力供給部と、電力供給部に入力された電圧を変圧するスイッチング電源と、スイッチング電源から送出された電力を蓄えるコンデンサＣ１と、給電時にはスイッチング電源から送出された電力によって点灯して停電時にはコンデンサＣ１から放出された電力によって点灯する発光ダイオードＤ１とが備えられてなる照明装置。
【請求項２】
コンデンサＣ１に印加する電圧を降下させるための抵抗素子Ｒ１が備えられてなる請求項１記載の照明装置。
【請求項３】
コンデンサＣ１からスイッチング電源に電流が流れ込むのを防止するためのダイオードＤ２が備えられてなる請求項１又は２記載の照明装置。
【請求項４】
発光ダイオードＤ１に印加する電圧を降下させるための抵抗素子Ｒ２が備えられてなる請求項１〜３いずれか記載の照明装置。
【請求項５】
外部電源からコンデンサＣ１への電力の供給を遮断するためのスイッチが電力供給部とコンデンサＣ１との間に備えられてなる請求項１〜４いずれか記載の照明装置。
【発明の詳細な説明】
【技術分野】
【０００１】
本発明は、停電後も一定時間に亘って点灯する照明装置に関する。
【背景技術】
【０００２】
従来より、光源と、停電時に光源に電力を供給する非常用電源とを備えた照明装置が知られており、省電力化や長寿命化のために光源として発光ダイオードを用いたものや、環境に対する負荷の軽減のために非常用電源として電気二重層コンデンサを用いたものなども近年提案され始めている。
【０００３】
例えば、特許文献１には、給電時に充電されるコンデンサと、給電の停止を検出して導通するスイッチング手段と、該スイッチング手段が導通したときに前記コンデンサの放電によって点灯する発光ダイオードとが備えられた非常灯が記載されている。これにより、長寿命でメンテナンスが容易な非常灯を提供することができるとされている。特許文献１には、前記コンデンサとして電気二重層コンデンサを使用することについても記載されている。
【０００４】
【特許文献１】特開２００４−１０３２５６号公報（特許請求の範囲、発明の効果、図１）
【発明の開示】
【発明が解決しようとする課題】
【０００５】
しかし、特許文献１の非常灯は、外部電源から電力が供給されている給電時には発光ダイオードが点灯せず、外部電源からの電力の供給が停止した停電時にのみ発光ダイオードが点灯する構成となっており、日常用照明（外部電源から電力が供給されている給電時に点灯する照明）として用いることができないものであった。このため、発光ダイオードに故障がないかを点検するためには、非常灯をコンセントから抜くなどして定期的に点検する必要があり、非常に煩わしかった。
【０００６】
本発明は、上記課題を解決するためになされたものであり、光源である発光ダイオードを停電時だけでなく給電時においてもエネルギー効率よく点灯させることができ、非常用照明としては勿論のこと、日常用照明としても好適に用いることのできる照明装置を提供するものである。また、発光ダイオードに故障がないかを日常的に検査することができ、非常用照明としての信頼性が高い照明装置を提供することも本発明の目的である。
【課題を解決するための手段】
【０００７】
上記課題は、外部電源から電力が供給される電力供給部と、電力供給部に入力された電圧を変圧するスイッチング電源と、スイッチング電源から送出された電力を蓄えるコンデンサＣ１と、給電時（外部電源からの電力が電力供給部に供給されているとき）にはスイッチング電源から送出された電力によって点灯して停電時（外部電源からの電力が電力供給部に供給されていないとき）にはコンデンサＣ１から放出された電力によって点灯する発光ダイオードＤ１とが備えられてなる照明装置を提供することによって解決される。これにより、外部電源から入力された入力電圧を発光ダイオードの定格電圧程度にまでエネルギー効率よく変圧して発光ダイオードを点灯させる照明装置を提供することが可能になる。
【０００８】
ここで、「スイッチング電源」とは、それに交流電圧が入力される場合には、入力された交流電圧を整流して直流電圧を発生させる第一整流回路と、第一整流回路で発生した直流電圧を数十〜数百ｋＨｚで高速にスイッチングさせることによって変圧（通常、降圧）された高周波の交流電圧を発生させるスイッチ回路（スイッチングレギュレータ）と、スイッチ回路で発生した交流電圧を再度整流して直流電圧を出力する第二整流回路と、の少なくとも３つの回路を備えた電源のことをいう。スイッチング電源に直流電圧が入力される場合には、第一整流回路は省略される。通常、スイッチ回路と第二整流回路との間には、入力側（第一整流回路、スイッチ回路）から出力側（第二整流回路）にノイズが伝達するのを防止したり、入力側で発生した電圧を変圧して出力側に伝達したりするためのトランスが設けられる。
【０００９】
上記照明装置において、コンデンサＣ１に印加する電圧を降下させるための抵抗素子Ｒ１が備えられていると好ましい。これにより、コンデンサＣ１の印加電圧をコンデンサＣ１の定格値を超えないように微調整して、コンデンサＣ１が故障するのを防止することが可能になる。
【００１０】
また、コンデンサＣ１からスイッチング電源に電流が流れ込むのを防止するためのダイオードＤ２が備えられていることも好ましい。これにより、停電時にコンデンサＣ１から流れ出た電流がスイッチング電源に流れ込まないようにして、スイッチング電源の故障を防止することが可能になる。
【００１１】
さらに、発光ダイオードＤ１に印加する電圧を降下させるための抵抗素子Ｒ２が備えられていることも好ましい。これにより、発光ダイオードＤ１の印加電圧を発光ダイオードＤ１の定格値を超えないように微調整して、発光ダイオードＤ１が故障するのを防止することが可能になる。
【００１２】
さらにまた、外部電源からコンデンサＣ１への電力の供給を遮断するためのスイッチが電力供給部とコンデンサＣ１との間に備えられていることも好ましい。これにより、スイッチを操作してから消灯するまでの間にタイムラグのある照明装置を提供することが可能になる。このため、スイッチが出入口から離れて設置されているような場合であっても、スイッチを操作した人が出入口まで安全に辿り着くことも可能になる。また、非常時にコンデンサＣ１が機能するか否かを日常的に検査することもでき、非常用照明としての信頼性をさらに高めることも可能になる。
【発明の効果】
【００１３】
以上のように、本発明によって、光源である発光ダイオードＤ１を停電時だけでなく給電時においてもエネルギー効率よく点灯させることができ、非常用照明としては勿論のこと、日常用照明としても好適に用いることのできる照明装置を提供することが可能になる。また、発光ダイオードＤ１やコンデンサＣ１に故障がないかを日常的に検査することができ、非常用照明としての信頼性が高い照明装置を提供することも可能になる。
【発明を実施するための最良の形態】
【００１４】
本発明の照明装置を図面を用いてより具体的に説明する。図１は、本発明の照明装置の一例を示した電気回路図である。本例の照明装置は、図１に示すように、外部電源（図示省略）から電力が供給される電力供給部Ｔ１，Ｔ２と、電力供給部Ｔ１，Ｔ２に入力された電圧を降下させるスイッチング電源ＰＳと、スイッチング電源ＰＳから送出された電力を蓄えるコンデンサＣ１と、給電時にはスイッチング電源ＰＳから送出された電力によって点灯して停電時にはコンデンサＣ１から放出された電力によって点灯する発光ダイオードＤ１とが備えられたものとなっている。
【００１５】
［電力供給部Ｔ１，Ｔ２］
電力供給部Ｔ１，Ｔ２は、図１に示すように、後述するスイッチング電源ＰＳの入力端子ＩＮ１，ＩＮ２にそれぞれ接続されており、外部電源から供給された電力をスイッチング電源ＰＳに導入するためのものとなっている。本例の照明装置においては、電力供給部Ｔ１，Ｔ２としてプラグ（図示省略）を採用しており、外部電源に備え付けられたコンセントに電力供給部Ｔ１，Ｔ２を挿し込むことができるようになっている。電力供給部Ｔ１，Ｔ２に電力を供給する外部電源は、交流又は直流のいずれであってもよく、その出力電圧も特に限定されないが、本例の照明装置は、出力電圧がＡＣ１００Ｖの商用電源を外部電源として用いるものとなっている。
【００１６】
［スイッチング電源ＰＳ］
本例のスイッチング電源ＰＳは、図１に示すように、入力端子ＩＮ１，ＩＮ２に入力された交流電圧（ＡＣ８５〜２６４Ｖ，５０／６０Ｈｚ）を整流・降圧して、出力端子ＯＵＴ１，ＯＵＴ２から直流電圧（ＤＣ５Ｖ）を出力するものとなっている。スイッチング電源ＰＳの出力電流は、約２Ａとなっている。スイッチング電源は、その変換効率が７０％以上と高いことで知られているが、このように、スイッチング電源ＰＳを用いることによって、入力された電圧をエネルギー効率よく大幅に降下させることができる。スイッチング電源ＰＳの変換効率は、７５％以上であると好ましく、８０％以上であるとより好ましい。スイッチング電源ＰＳには、フライバック型とフォワード型とのいずれのものを用いてもよいが、本発明の照明装置のように、消費電力が数ワット程度の発光ダイオードＤ１を負荷として用いる場合には、通常、フライバック型のスイッチング電源が用いられる。
【００１７】
図２に、スイッチング電源ＰＳの一例をブロック図で示す。図２のスイッチング電源ＰＳは、入力端子ＩＮ１，ＩＮ２に入力された交流電圧を整流して直流電圧を発生させる第一整流回路と、第一整流回路で発生した直流電圧を平滑化する第一平滑回路と、第一平滑回路で平滑化された直流電圧を高速にスイッチングさせることによって降圧された高周波の交流電圧を発生させるスイッチ回路と、スイッチ回路で発生した交流電圧を再度整流して直流電圧を発生させる第二整流回路と、第二整流回路で発生した直流電圧を再度平滑化して出力端子ＯＵＴ１，ＯＵＴ２から出力する第二平滑回路と、を備えたものとなっている。スイッチ回路と第二整流回路との間は、トランスによって絶縁されており、入力側から出力側にノイズが伝達しにくいようになっている。
【００１８】
また、本例のスイッチング電源ＰＳでは、図２に示すように、スイッチ回路と出力端子ＯＵＴ１，ＯＵＴ２との間に制御回路を設けている。この制御回路は、出力端子ＯＵＴ１，ＯＵＴ２から出力される出力電圧に応じて、スイッチ回路で発生される交流電圧のデューティ比（交流電圧がオンしている時間を交流電圧の周期で除した値）を変化させるものとなっている。具体的には、出力端子ＯＵＴ１，ＯＵＴ２からの出力電圧が何らかの原因で上昇した場合には、前記制御回路は前記デューティ比が小さくなるように動作して、出力端子ＯＵＴ１，ＯＵＴ２からの出力電圧が何らかの原因で降下した場合には、前記制御回路は前記デューティ比が大きくなるように動作する。このように、出力電圧をスイッチ回路にフィードバックすることによって、出力端子ＯＵＴ１，ＯＵＴ２から安定した直流電圧を出力することが可能になる。本例のスイッチング電源ＰＳでは、入力側と出力側との絶縁を保つために、制御回路からの信号はフォトカプラを介してスイッチ回路（スイッチングトランジスタのベース）に伝達されるようになっている。
【００１９】
さらに、本例のスイッチング電源ＰＳでは、図２に示すように、入力端子ＩＮ１，ＩＮ２と第一整流回路との間にノイズフィルタ回路を設けており、スイッチ回路で発生したノイズが入力端子ＩＮ１，ＩＮ２から外部電源へと伝達するのを防止している。さらにまた、ノイズフィルタ回路と第一整流回路との間にはソフトスタート回路を設けており、スイッチ回路のスイッチングコンデンサに発生しうる突入電流を抑えて前記スイッチングコンデンサが故障するのを防止することができるようになっている。そしてまた、スイッチング電源ＰＳに発生するノイズをさらに低減するために、フレーム接地端子ＦＧを設けている。入力端子ＩＮ１，ＩＮ２とノイズフィルタ回路との間には、スイッチング電源ＰＳに過大な電流が流れないようにヒューズ（図示省略）を設けてもよい。
【００２０】
［コンデンサＣ１］
コンデンサＣ１は、図１に示すように、スイッチング電源ＰＳの出力端子ＯＵＴ１，ＯＵＴ２から送出された電力を蓄えるためのものとなっている。コンデンサＣ１は、電気二重層コンデンサであると好ましい。これにより、コンデンサＣ１をより劣化しにくく長寿命なものとするだけでなく、低温時の電気的特性も良好で、かつ環境負荷も少ないものとすることが可能になる。本例の照明装置においては、コンデンサＣ１として、１個当たりの定格電圧が２．３Ｖで電気容量が７０Ｆの電気二重層コンデンサを採用している。コンデンサＣ１の個数は、コンデンサＣ１の定格電圧とスイッチング電源ＰＳの出力電圧との兼ね合いや、コンデンサＣ１の電気容量と発光ダイオードＤ１の消費電力と停電後に必要な点灯時間との兼ね合いなどによって適宜調整され、特に限定されないが、本例の照明装置においては、図１に示すように、４個のコンデンサＣ１．１〜Ｃ１．４をコンデンサＣ１として用いている。
【００２１】
コンデンサＣ１．１〜Ｃ１．４の接続についてより詳しく説明する。コンデンサＣ１．１，Ｃ１．２は直列に接続されており、同じく直列に接続されたコンデンサＣ１．３，Ｃ１．４と並列に配されている。このうち、コンデンサＣ１．１，Ｃ１．３の一端（図１における上端）は、後述する抵抗素子Ｒ１とダイオードＤ２とを介してスイッチング電源ＰＳの出力端子ＯＵＴ１に接続されており、コンデンサＣ１．２，Ｃ１．４の一端（図１における下端）は、スイッチング電源ＰＳの出力端子ＯＵＴ２に接続されている。また、コンデンサＣ１．１，Ｃ１．３の他端（図１における下端）とコンデンサＣ１．２，Ｃ１．４の他端（図１における上端）は全て短絡されており、コンデンサＣ１．１に印加される電圧とコンデンサＣ１．３に印加される電圧とが等しくなり、コンデンサＣ１．２に印加される電圧とコンデンサＣ１．４に印加される電圧とが等しくなるように設定されている。
【００２２】
［発光ダイオードＤ１］
発光ダイオードＤ１は、図１に示すように、コンデンサＣ１と並列に配されており、給電時にはスイッチング電源ＰＳから送出された電力によって点灯して、停電時にはコンデンサＣ１から放出された電力によって点灯するものとなっている。発光ダイオードＤ１は、１個当たりの消費電力が０．５Ｗ以上の発光ダイオード（いわゆるハイパワーＬＥＤ）を用いると好ましい。これにより、発光ダイオードＤ１を長寿命でありながらも明るいものとすることが可能になる。本例の照明装置においては、発光ダイオードＤ１として、１個当たりの消費電力が１Ｗで順方向電圧が３．４Ｖ（定格）の側方出射型のハイパワーＬＥＤを採用している。本例の照明装置においては、発光ダイオードＤ１をリフレクタ（図示省略）で囲んでおり、発光ダイオードＤ１の側方から出射された光を均一に照射することができるようになっている。発光ダイオードＤ１の個数は、発光ダイオードＤ１の１個当たりの明るさと照明装置として必要な明るさとの兼ね合いなどによって適宜調整され、特に限定されないが、本例の照明装置においては、互いに並列に配された３個の発光ダイオードＤ１．１〜Ｄ１．３を発光ダイオードＤ１として用いている。発光ダイオードＤ１．１〜Ｄ１．３の一端（図１における上端）は、後述する抵抗素子Ｒ１，Ｒ２とダイオードＤ２とを介してスイッチング電源ＰＳの出力端子ＯＵＴ１に接続されており、発光ダイオードＤ１．１〜Ｄ１．３の他端（図１における下端）は、スイッチング電源ＰＳの出力端子ＯＵＴ２に接続されている。
【００２３】
［抵抗素子Ｒ１］
本例の照明装置においては、図１に示すように、スイッチング電源ＰＳの出力端子ＯＵＴ１とコンデンサＣ１との間に、抵抗素子Ｒ１をコンデンサＣ１と直列に設けている。この抵抗素子Ｒ１は、スイッチング電源ＰＳの出力端子ＯＵＴ１から出力された電圧を僅かに降下させて、コンデンサＣ１に印加される電圧がその定格電圧（本例の照明装置では、コンデンサＣ１．１の定格電圧とコンデンサＣ１．２の定格電圧との和、及び、コンデンサＣ１．３の定格電圧とコンデンサＣ１．４の定格電圧との和）を超えることがないように、点ＰＡと点ＰＣとの間に印加される電圧を制限するものとなっている。抵抗素子Ｒ１は、スイッチング電源ＰＳの出力端子ＯＵＴ２とコンデンサＣ１との間に設けてもよい。抵抗素子Ｒ１の抵抗値は、スイッチング電源ＰＳの出力電圧及び出力電流とコンデンサＣ１の定格電圧との兼ね合いによって適宜調整されるが、本例の照明装置においては、１Ω（５Ｗ）となっている。
【００２４】
［ダイオードＤ２］
また、本例の照明装置においては、図１に示すように、スイッチング電源ＰＳの出力端子ＯＵＴ１とコンデンサＣ１との間（出力端子ＯＵＴ１と抵抗素子Ｒ１との間）に、ダイオードＤ２をコンデンサＣ１と直列に設けている。ダイオードＤ２は、そのアノードがスイッチング電源ＰＳの出力端子ＯＵＴ１側に接続され、そのカソードがコンデンサＣ１側に接続されている。このダイオードＤ２は、コンデンサＣ１からスイッチング電源ＰＳに電流が流れ込むのを防止するためのものとなっている。ダイオードＤ２は、スイッチング電源ＰＳの出力端子ＯＵＴ２とコンデンサＣ１との間に設けてもよいし、抵抗素子Ｒ１よりもコンデンサＣ１寄り（抵抗素子Ｒ１とコンデンサＣ１との間）に設けてもよい。本例の照明装置においては、ダイオードＤ２として順方向電圧が０．６Ｖ（定格）のショットキーバリアダイオードを用いている。
【００２５】
［抵抗素子Ｒ２］
さらに、本例の照明装置においては、図１に示すように、コンデンサＣ１と発光ダイオードＤ１とを並列に結ぶ経路に、抵抗素子Ｒ２を発光ダイオードＤ１と直列に設けている。この抵抗素子Ｒ２は、スイッチング電源ＰＳの出力端子ＯＵＴ１から出力された電圧を僅かに降下させて、発光ダイオードＤ１に印加される電圧がその定格電圧を超えることがないように、点ＰＡと点ＰＤとの間に印加される電圧を制限するものとなっている。本例の照明装置では、抵抗素子Ｒ２は、スイッチング電源ＰＳの出力端子ＯＵＴ１側の経路に設けているが、出力端子ＯＵＴ２側の経路に設けてもよい。抵抗素子Ｒ２の抵抗値は、スイッチング電源ＰＳの出力電圧及び出力電流と発光ダイオードＤ１の定格電圧との兼ね合いによって適宜調整されるが、本例の照明装置においては、３．９Ω（５Ｗ）となっている。
【００２６】
［抵抗素子Ｒ３］
さらにまた、本例の照明装置においては、図１に示すように、抵抗素子Ｒ３．１をコンデンサＣ１。１，Ｃ１．３と並列に接続し、抵抗素子Ｒ３．２をコンデンサＣ１．２，Ｃ１．４と並列に接続している。抵抗素子Ｒ３．１の一端（図１における上端）は、抵抗素子Ｒ１とダイオードＤ２とを介してスイッチング電源ＰＳの出力端子ＯＵＴ１に接続されており、抵抗素子Ｒ３．２の一端（図１における下端）は、スイッチング電源ＰＳの出力端子ＯＵＴ２に接続されている。また、抵抗素子Ｒ３．１の他端（図１における下端）と抵抗素子Ｒ３．２の他端（図１における上端）は、コンデンサＣ１．１，Ｃ１．３の他端（図１における下端）及びコンデンサＣ１．２，Ｃ１．４の他端（図１における上端）と接続されており、コンデンサＣ１．１，Ｃ１．３に印加される電圧とコンデンサＣ１．２，Ｃ１．４に印加される電圧との比が、抵抗素子Ｒ３．１の抵抗値と抵抗素子Ｒ３．２の抵抗値との比に一致するようになっている。抵抗素子Ｒ３．１，Ｒ３．２の抵抗値は、コンデンサＣ１．１，Ｃ１．３の定格電圧とコンデンサＣ１．２，Ｃ１．４の定格電圧との比によって適宜調整されるが、本例の照明装置においては、いずれも４７０Ω（０．２５Ｗ）となっている。
【００２７】
［スイッチＳＷ］
そしてまた、本例の照明装置においては、図１に示すように、電力供給部Ｔ１とスイッチング電源ＰＳの入力端子ＩＮ１との間に、外部電源からコンデンサＣ１への電力の供給を遮断するためのスイッチＳＷを設けている。このため、発光ダイオードＤ１をスイッチング電源ＰＳから送出された電力によって点灯させる（スイッチＳＷの導通時）か、コンデンサＣ１から放出された電力によって点灯させる（スイッチＳＷの遮断時）かを、容易に切り替えることができるようになっている。スイッチＳＷは、スイッチング電源ＰＳの出力端子ＯＵＴ１と点ＰＣとの間に設けてもよいし、電力供給部Ｔ２とスイッチング電源ＰＳの入力端子ＩＮ２との間や、スイッチング電源ＰＳの出力端子ＯＵＴ２と点ＰＡとの間に設けてもよい。
【００２８】
［照明装置の動作］
続いて、本例の照明装置の動作を図１と図３とに基づいて説明する。図３は、図１の電気回路図における各点ＰＢ〜ＰＤの点ＰＡに対する電圧の時間的変化を示したグラフである。
【００２９】
まず、給電時の動作について説明する。スイッチＳＷを閉じる（図３における０ｓ）と、電力供給部Ｔ１，Ｔ２からスイッチング電源ＰＳの入力端子ＩＮ１，ＩＮ２に交流電圧（ＡＣ１００Ｖ）が入力される。入力端子ＩＮ１，ＩＮ２に入力された交流電圧は、スイッチング電源ＰＳによって直流電圧（ＤＣ５Ｖ）に変換され、出力端子ＯＵＴ１，ＯＵＴ２から出力される。本例の照明装置では、出力端子ＯＵＴ１から＋５Ｖが出力されるようになっており、出力端子ＯＵＴ２は０Ｖとなっている。
【００３０】
出力端子ＯＵＴ１，ＯＵＴ２から出力された直流電圧は、抵抗素子Ｒ１によって降下させられて（実際には、ダイオードＤ２によっても僅かに降下される。）、点ＰＡと点ＰＣとの間に印加され、コンデンサＣ１．１〜Ｃ１．４が充電される。本例の照明装置では、定常状態（図３における１００〜７５０ｓ）において、点ＰＡと点ＰＢとの間には、約４．６Ｖの電圧が印加され、点ＰＡと点ＰＣとの間には、約４．４Ｖの電圧が印加されるようになっている。点ＰＡと点ＰＣとの間に印加された電圧は、抵抗素子Ｒ３．１と抵抗素子Ｒ３．２とによって、コンデンサＣ１．１，Ｃ１．３とコンデンサＣ１．２，Ｃ１．４とに分配される。このため、コンデンサＣ１．１〜Ｃ１．４に印加される電圧は全て約２．２Ｖで等しくなっており、コンデンサＣ１．１〜Ｃ１．４の定格電圧以下となるようになっている。
【００３１】
一方、点ＰＡと点ＰＣとの間に印加された電圧は、抵抗素子Ｒ２によって降下させられて、点ＰＡと点ＰＤとの間に印加され、点ＰＡに対する点ＰＤの電圧が約２．５Ｖを超えると発光ダイオードＤ１が点灯する（図３における６０ｓ）。本例の照明装置では、定常状態（図３における１００〜７５０ｓ）において、点ＰＡと点ＰＤとの間に印加された電圧は約３．２Ｖとなっており、発光ダイオードＤ１の定格電圧以下となるようになっている。
【００３２】
次に、停電時の動作について説明する。外部電源から電力供給部Ｔ１，Ｔ２への電力の供給が何らかの原因で停止する（図３における７５０ｓ）と、スイッチング電源ＰＳから発光ダイオードＤ１への電力の供給も停止するが、発光ダイオードＤ１へはコンデンサＣ１に蓄えられた電力が供給されるようになるために、発光ダイオードＤ１は停電後も一定時間（コンデンサＣ１に蓄えられた電力が放出されて点ＰＡと点ＰＤとの電位差が発光ダイオードＤ１の順方向電圧未満となるまで）点灯し続ける。本例の照明装置では、停電後も約５０〜６０分間（図３における７５０〜４０００ｓ）継続して点灯し続けるようになっている。
【００３３】
［用途］
以上のように、本発明の照明装置は、停電時だけでなく給電時においても発光ダイオードＤ１をエネルギー効率よく点灯させることができ、非常用照明としては勿論のこと、日常用照明としても好適に用いることのできるものとなっている。このため、消防法で設置が義務づけられている誘導灯や、建築基準法で設置が義務づけられている非常灯としてだけでなく、天井や壁や床などの屋内に据え付けられる一般的な屋内照明や、道路や公園や庭などの屋外に据え付ける一般的な屋外照明としても好適に用いることができる。また、卓上照明などの持ち運びできる照明としても好適に用いることができる。
【００３４】
さらに、本発明の照明装置は、それが設けられた場所から退出する人を建物や部屋の出入口まで案内するための案内灯（退出灯）としても好適に用いることができる。この案内灯は、建物にセキュリティシステムが導入されている場合に特に好適である。セキュリティシステムの中には、建物内の操作パネルなどで発動操作してから建物外へ退出するまでの間に数秒〜数十秒程度の時間制限が設けられていて、建物内の照明を予め消灯してから暗闇の中で発動操作しないと、退出に時間的余裕がなくなるものもあったが、本発明の照明装置を案内灯として設置しておけば、案内灯を消灯するためにそのスイッチを予め操作しておいても、案内灯は一定時間点灯を続けるために、明るい中でセキュリティシステムを発動操作して建物から安全に退出することができるようになるからである。
【図面の簡単な説明】
【００３５】
【図１】本発明の照明装置の一例を示した電気回路図である。
【図２】スイッチング電源ＰＳの一例を示したブロック図である。
【図３】図１の電気回路図における各点ＰＢ〜ＰＤの点ＰＡに対する電圧の時間的変化を示したグラフである。
【符号の説明】
【００３６】
Ｃ１  コンデンサ（発光ダイオード点灯用）
Ｄ１  発光ダイオード（光源用）
Ｄ２  ダイオード（逆流防止用）
Ｒ１  抵抗素子（コンデンサ印加電圧制限用）
Ｒ２  抵抗素子（発光ダイオード印加電圧制限用）
Ｒ３  抵抗素子（コンデンサ印加電圧分配用）
Ｔ１，Ｔ２  電力供給部
ＰＳ  スイッチング電源
ＩＮ１，ＩＮ２  スイッチング電源の入力端子
ＯＵＴ１，ＯＵＴ２  スイッチング電源の出力端子
ＳＷ  スイッチ
【図１】
2006236934.tif 000003
【図２】
2006236934.tif 000004
【図３】
2006236934.tif 000005